(57)【特許請求の範囲】
【請求項１】
車両のルーフパネル車室内側においてパネル状の基材が車室内に面するように配設され、該基材の車室外側と該ルーフパネルの車室内側との間に配索部材が配索された車両用天井成形材であって、
該基材と該ルーフパネルとの間には、車室内側の形状を該基材の車室外側の形状と略等しくするように、且つ車室外側の形状を該ルーフパネルの車室内側の形状と略等しくするように形成された発泡成形体が配置され、
上記発泡成形体には、上記配索部材を配索して収容する収容溝が形成され、
上記収容溝は、上記発泡成形体の内部に上記配索部材が設置されて収容される設置部と、上記発泡成形体の車室外側面と該設置部とを連通し、該車室外側面から該設置部まで該配索部材が押し込まれる挿入路とを備えることを特徴とする車両用天井成形材。
【請求項２】
請求項１に記載の車両用天井成形材において、
上記収容溝は、該挿入路の幅が、該設置部の幅に対して狭くなっていることを特徴とする車両用天井成形材。
【請求項３】
請求項１又は２に記載の車両用天井成形材において、
上記ルーフパネルと上記基材との上下幅が、車両前後両端部及び車両左右両端部の少なくとも一箇所と中央部とで異なり、
上記発泡成形体の厚さが、該ルーフパネルと該基材との上下幅に対応するように、上記車両前後両端部及び車両左右両端部の少なくとも一箇所と中央部とで異なることを特徴とする車両用天井成形材。
【請求項４】
車両のルーフパネル車室内側においてパネル状の基材が車室内に面するように配設され、該基材と該ルーフパネルとの間に配索部材が配索された車両用天井成形材の製造方法であって、
上記基材の車室外側の形状に対応する成形面を有する第１型と、該第１型に対向配置され、上記ルーフパネルの車室内側の形状に対応する成形面を有する第２型とを備えた成形型を用意し、
上記第１型の該成形面には、上記配索部材が設置されて収容される設置部と、発泡成形体の車室外側面と該設置部とを連通し、該設置部に該配索部材が押し込まれる挿入路とを有する収容溝を形成するための溝形成部が、該車室内側に突出して設けられ、
上記成形型を型閉じして、上記第１型の成形面と上記第２型の成形面との間に形成されたキャビティに発泡樹脂原料を注入して発泡させることにより、車室外側の形状が上記ルーフパネルの車室内側の形状に、また車室内側の形状が上記基材の車室外側の形状にそれぞれ略等しくなり、且つ上記基材と上記ルーフパネルとの間に配設した状態で、該基材車室外側に車室内側が圧接するとともに、該ルーフパネル車室内側に車室外側が圧接する発泡成形体を成形し、
上記配索部材を、該発泡成形体の車室外側面から該挿入路を通って挿入して、該設置部に押し込んだ後、
該基材及び該発泡成形体を重ねて車両用天井成形材を製造することを特徴とする車両用天井成形材の製造方法。
【請求項５】
車両のルーフパネル車室内側においてパネル状の基材が車室内に面するように配設され、該基材と該ルーフパネルとの間に配索部材が配索された車両用天井成形材の製造方法で
あって、
上記基材の車室外側の形状に対応する成形面を有する第１型と、該第１型に対向配置され、上記ルーフパネルの車室内側の形状に対応する成形面を有する第２型とを備えた成形型を用意し、
上記第１型の該成形面には、上記配索部材が設置されて収容される設置部と、発泡成形体の車室外側面と該設置部とを連通し、該設置部に該配索部材が押し込まれる挿入路とを有する収容溝を形成するための溝形成部が、該車室内側に突出して設けられ、
上記成形型を型閉じして、上記第１型の成形面と上記第２型の成形面との間に形成されたキャビティに発泡樹脂原料を注入して発泡させることにより、車室外側の形状が上記ルーフパネルの車室内側の形状に、また車室内側の形状が上記基材の車室外側の形状にそれぞれ略等しくなり、且つ上記基材と上記ルーフパネルとの間に配設した状態で、該基材車室外側に車室内側が圧接するとともに、該ルーフパネル車室内側に車室外側が圧接する発泡成形体を成形し、
該基材及び該発泡成形体を重ねた後、
上記配索部材を、該発泡成形体の車室外側面から該挿入路を通って挿入して、該設置部に押し込んで車両用天井成形材を製造することを特徴とする車両用天井成形材の製造方法。
【発明の詳細な説明】
【技術分野】
【０００１】
本発明は、車両のルーフパネルの車室内に設けられる車両用天井成形材及びその製造方法に関する。
【背景技術】
【０００２】
従来より、自動車等の車両には、ルーフパネルの車室内側に車両用天井成形材が配設されている。例えば、特許文献１の車両用天井成形材には、車室内に面する基材のルーフパネル側において、ハーネス線、アンテナ線及びウォッシャーパイプ等の配線や配管（以降配索部材と称す）が取り付け可能となっていて、該配索部材を取り付けモジュール化した車両用天井成形材が組立ラインへ搬送されるようになっている。
【先行技術文献】
【特許文献】
【０００３】
【特許文献１】特開２００２−６７８４７公報（段落００１２，００１３欄、図１）
【発明の概要】
【発明が解決しようとする課題】
【０００４】
ところで、近年の車両においては、車室内の騒音をできるだけ排除して乗員の不快感を低減することが要求されている。このことに対し、車両の走行中においてルーフパネルと基材との間に形成された隙間を流れる空気の風切音や、ルーフパネル上に落ちたときに発生する雨音、さらには、走行中にルーフパネルが振動することにより発生する振動音は、車室内にいる乗員の不快感を増加させる原因となっている。
【０００５】
また、電気自動車やハイブリッド車等の増加に伴い、車両の動力源に多くの電力を供給できるように、特に面積の広いルーフパネル周辺の断熱性を高めることで空調装置に係る電力を必要最小限に留めることが求められている。
【０００６】
これらの要求を達成するために、一定の厚みで形成された吸音性、遮音性及び断熱性の高い発泡成形体をルーフパネルと基材との間に配設する方法が考えられる。しかし、厚みの小さい発泡成形体を配設すると、該発泡成形体とルーフパネルとの間の所々に隙間が形成されてしまい、風切音や振動音に対応できないばかりか十分な断熱性を得ることができない。反対に、ルーフパネルと基材との間で最も間隔の広い箇所を基準に厚みの大きい発泡成形体を用意して、上記ルーフパネルと基材とで発泡成形体で挟み込むようにすると、ルーフパネルや基材の起伏の大きな箇所では、発泡成形体の圧縮変形が大きくなってしまい、当該圧縮変形により基材に大きな力が掛かり該基材を局部的に変形させてしまう。
【０００７】
一方、基材のルーフパネル側にハーネス線等の配索部材を配索する際、所定の位置からずれることがないように、一般的に粘着テープを用いて複数箇所を基材に貼り付けるようにしていて、材料コスト並びに組付工数の増加を引き起こすこととなっている。
【０００８】
本発明は斯かる点に鑑みてなされたものであり、その目的とするところは、車室内の騒音を効果的に低減して乗員の乗り心地感を向上させるとともに、断熱性を高めて無駄な電力の消費を無くすことができ、さらには、低コストで組付工数を低減できる車両用天井成形材及びその製造方法を提供することにある。
【課題を解決するための手段】
【０００９】
上記の目的を達成するために、本発明は、ルーフパネルの車室内側の形状と、基材の車
室外側の形状とに沿う形状を有する発泡成形体をルーフパネルと基材との間に設け、この発泡成形体に配索部材を取り付けるようにしたことを特徴とする。
【００１０】
具体的には、車両のルーフパネル車室内側においてパネル状の基材が車室内に面するように配設され、基材の車室外側とルーフパネルの車室内側との間に配索部材が配索された車両用天井成形材として、次のような解決手段を講じた。
【００１１】
すなわち、第１の発明では、車両のルーフパネル車室内側においてパネル状の基材が車室内に面するように配設され、該基材の車室外側と該ルーフパネルの車室内側との間に配索部材が配索された車両用天井成形材であって、該基材と該ルーフパネルとの間には、車室内側の形状を該基材の車室外側の形状と略等しくするように、且つ車室外側の形状を該ルーフパネルの車室内側の形状と略等しくするように形成された発泡成形体が配置され、上記発泡成形体には、上記配索部材を配索して収容する収容溝が形成され、上記収容溝は、上記発泡成形体の内部に上記配索部材が設置されて収容される設置部と、上記発泡成形体の車室外側面と該設置部とを連通し、該車室外側面から該設置部まで該配索部材が押し込まれる挿入路とを備えることを特徴とする。
【００１２】
第２の発明では、第１の発明において、上記収容溝は、該挿入路の幅が、該設置部の幅に対して狭くなっていることを特徴とする。
【００１３】
第３の発明では、第１又は第２の発明において、上記ルーフパネルと上記基材との上下幅が、車両前後両端部及び車両左右両端部の少なくとも一箇所と中央部とで異なり、上記発泡成形体の厚さが、該ルーフパネルと該基材との上下幅に対応するように、上記車両前後両端部及び車両左右両端部の少なくとも一箇所と中央部とで異なることを特徴とする。
【００１４】
第４の発明では、車両のルーフパネル車室内側においてパネル状の基材が車室内に面するように配設され、該基材と該ルーフパネルとの間に配索部材が配索された車両用天井成形材の製造方法であって、上記基材の車室外側の形状に対応する成形面を有する第１型と、該第１型に対向配置され、上記ルーフパネルの車室内側の形状に対応する成形面を有する第２型とを備えた成形型を用意し、上記第１型の該成形面には、上記配索部材が設置されて収容される設置部と、発泡成形体の車室外側面と該設置部とを連通し、該設置部に該配索部材が押し込まれる挿入路とを有する収容溝を形成するための溝形成部が、該車室内側に突出して設けられ、上記成形型を型閉じして、上記第１型の成形面と上記第２型の成形面との間に形成されたキャビティに発泡樹脂原料を注入して発泡させることにより、車室外側の形状が上記ルーフパネルの車室内側の形状に、また車室内側の形状が上記基材の車室外側の形状にそれぞれ略等しくなり、且つ上記基材と上記ルーフパネルとの間に配設した状態で、該基材車室外側に車室内側が圧接するとともに、該ルーフパネル車室内側に車室外側が圧接する発泡成形体を成形し、上記配索部材を、該発泡成形体の車室外側面から該挿入路を通って挿入して、該設置部に押し込んだ後、該基材及び該発泡成形体を重ねて車両用天井成形材を製造することを特徴とする。
【００１５】
第５の発明では、車両のルーフパネル車室内側においてパネル状の基材が車室内に面するように配設され、該基材と該ルーフパネルとの間に配索部材が配索された車両用天井成形材の製造方法であって、上記基材の車室外側の形状に対応する成形面を有する第１型と、該第１型に対向配置され、上記ルーフパネルの車室内側の形状に対応する成形面を有する第２型とを備えた成形型を用意し、上記第１型の該成形面には、上記配索部材が設置されて収容される設置部と、発泡成形体の車室外側面と該設置部とを連通し、該設置部に該配索部材が押し込まれる挿入路とを有する収容溝を形成するための溝形成部が、該車室内側に突出して設けられ、上記成形型を型閉じして、上記第１型の成形面と上記第２型の成形面との間に形成されたキャビティに発泡樹脂原料を注入して発泡させることにより、車室外側の形状が上記ルーフパネルの車室内側の形状に、また車室内側の形状が上記基材の車室外側の形状にそれぞれ略等しくなり、且つ上記基材と上記ルーフパネルとの間に配設した状態で、該基材車室外側に車室内側が圧接するとともに、該ルーフパネル車室内側に車室外側が圧接する発泡成形体を成形し、該基材及び該発泡成形体を重ねた後、上記配索部材を、該発泡成形体の車室外側面から該挿入路を通って挿入して、該設置部に押し込んで車両用天井成形材を製造することを特徴とする。
【発明の効果】
【００１６】
第１の発明では、発泡成形体と基材の間、及び発泡成形体とルーフパネルの間とにいずれも非接触箇所が形成され難くなるので、断熱性が高まるとともに、車両の走行中に基材とルーフパネルとの間を空気が流れなくなり、風切音の発生を防止できる。また、基材とルーフパネルとの間に設けられた発泡成形体が車室内側へ進む雨音を遮るようになるので、車室内で聞こえる雨音を小さくすることができる。これらにより、車室内の騒音を効果的に低減して乗員の乗り心地感を向上させるとともに、断熱性を高めて無駄な電力の消費を無くすことができ、さらには、低コストで組付工数を低減することができる。さらに、発泡成形体を基材及びルーフパネルに圧接するようにすれば、発泡成形体が車両の走行中のルーフパネルの振動を抑えるようになり、ルーフパネルの振動から発生する騒音を低減できる。
【００１７】
また、発泡成形体には配索部材を配索して収容する収容溝が形成されるため、収容溝に配索部材を収容することにより発泡成形体に配索部材を固定することができるので、従来のように配索部材の多くの箇所を基材に粘着テープ等で貼り付ける必要がなくなり、これら配索部材を基材に貼り付ける作業を簡略化して組付工数を低減することができる。
【００１８】
さらに、収容溝が、発泡成形体の車室外側面に形成されている場合には、発泡成形体の上側から配索部材を組み付けることができ、作業性に優れる。また、基材に発泡成形体を重ねた後でも配索部材を組み付けることができるので、組立ラインでの作業が迅速・簡単となり作業能率の向上を期待できる。さらには、配索部材の交換等のメンテナンス作業が容易に行える。
【００１９】
第２の発明では、収容溝は、配索部材が設置される設置部と、発泡成形体の表面から設置部に連通する挿入路とを備え、挿入路の幅が設置部の幅に対して狭くなっているため、設置部に収容された配索部材は狭い挿入路を戻って抜け難くなり、配索部材を収容溝に収容することにより簡単に、且つ、しっかりと固定することができ、配索部材の抜脱やずれを防止することができる。
【００２０】
上記発泡成形体が、低反発弾性材からなる場合には、天井成形材をルーフパネルに取り付けたときに、低反発弾性材からなる発泡成形体が起伏の大きな箇所にうまく馴染むようになって、第１の発明に比べて発泡成形体と基材及びルーフパネルとの間の非接触箇所がさらに形成され難くなる。また、発泡成形体と基材及びルーフパネルとの接触部分の圧力が分散するようになるので、基材に局所的な力が加わって変形してしまうのを防ぐことができる。さらに、基材やルーフパネルが複数のバリエーションを有していて、基材やルーフパネルの形状が部分的に異なるような場合であっても、発泡成形体がそれぞれの形状に合わせてうまく馴染むようになるので、汎用性のある天井成形材とすることができる。それに加え、高い制振性を保有する低反発弾性材を発泡成形体に用いているので、第１の発明に比べてさらに車両の走行中のルーフパネルの振動を抑えることができ、ルーフパネルの振動により発生する騒音を防ぐこ
とができる。
【００２１】
第３の発明では、ルーフパネルと基材との間の上下幅に発泡成形体の厚さが対応するようになり、天井成形材をルーフパネルに取り付けたときに、発泡成形体の車室外側がルーフパネルの車室内側に略均一に接触するようになる。したがって、発泡成形体の車室外側が略均一に圧縮変形するようになり、基材に局所的な大きな力が掛かって変形してしまうのを防ぐことができる。
【００２２】
第４及び第５の発明では、基材の車室外側に沿うとともにルーフパネルの車室内側に沿う発泡成形体を成形型で成形できるようになるので、第１の発明と同様に、車室内の騒音を効果的に低減して乗員の乗り心地感を向上させるとともに、断熱性を高めて無駄な電力の消費を無くすことができ、さらには、低コストで組付工数を低減することができる。さらに、基材、発泡成形体及び配索部材を別々に自動車の組立ラインに搬入し、組立ラインのそばでサブアッシーすれば良いので、既存の自動車の組立ラインにも容易に適用可能であり、取り入れやすい。
【００２３】
そして、上記発泡成形体が上記成形型内で発泡成形されると同時に配索部材用の収容溝が形成される場合には、第１の発明と同様に、配索部材を基材に貼り付ける等の作業を簡略化して組付工数を低減することができる。
【図面の簡単な説明】
【００２４】
【図１】本発明の実施形態にかかる車両を簡略化した斜視図である。
【図２】本発明の実施形態に係る天井成形材の発泡成形体に配索部材を取付けた状態を車室外側から見た平面図である。
【図３】図１のＡ−Ａ線拡大断面図である。
【図４】図１のＢ−Ｂ線拡大断面図である。
【図５】図１のＣ−Ｃ線拡大断面図である。
【図６】発泡成形体を成形する成形型を型開きした状態の断面図である。
【図７】発泡成形体を成形する成形型を型閉じし、発泡樹脂原料を注入した状態の断面図である。
【図８】発泡樹脂原料を発泡させ、発泡成形体を成形した状態の断面図である。
【図９】成形型から発泡成形体を脱型した状態の断面図である。
【図１０】発泡成形体に配索部材を組付ける状態を示す断面斜視図である。
【図１１】本発明の実施形態における車両用天井成形材の発泡成形体について、遮音性能を評価したグラフである。
【発明を実施するための形態】
【００２５】
以下、本発明の実施形態を図面に基づいて詳細に説明する。尚、以下の好ましい実施形態の説明は、本質的に例示に過ぎない。
【００２６】
図１は、本発明の実施形態に係る車両Ｖ（車体）を示す。車両Ｖの上方にはルーフパネルＲが位置している。図３及び図４に示すように、ルーフパネルＲは、車両Ｖの外板部分となる略矩形状のルーフパネルアウターＲ１と、ルーフパネルアウターＲ１の左右両縁部において車両前後方向に延びる一対のルーフサイドレールＲ２と、ルーフパネルアウターＲ１の下面に沿って車幅方向に延びるルーフレインフォースメントＲ３とを備えている。ルーフレインフォースメントＲ３は、断面略ハット形状をなし、車両前後方向に複数並列に配置されている。
【００２７】
上記ルーフパネルＲの車室内側には車室内天井の意匠面となる車両用天井成形材１が配設されている。天井成形材１は、車両前後方向に延びる略矩形状をなしていて、車室内側
に面するパネル状の基材３と、基材３とルーフパネルＲとの間に配設される発泡成形体９と、発泡成形体９の車室外側に配索される配索部材２０とを備え、中央部分が上方に位置する緩やかな湾曲形状をなしている。
【００２８】
上記基材３は、図示しないが、例えば、硬質発泡ウレタンからなる基材本体層にガラス繊維等の補強層を介して表面材及び裏面材を積層した構造をなしていて、図示しない成形型を用いて従来周知の方法にて成形されたものである。
【００２９】
上記発泡成形体９は、発泡ウレタンからなる低反発弾性材（図１１に示す発泡ウレタンＵ１、例えば、ＳＢＵ社製軟質ウレタンＮｏ．５）であり、基材３とルーフパネルＲとの間に配設されている。発泡成形体９の車室内側の形状は、基材３の車室外側の形状と略等しくなっていて、車室外側の形状はルーフパネルＲの車室内側の形状と略等しくなっている。図３及び図４に示すように、発泡成形体９の車室外側には、上記配索部材２０を収容する収容溝３０が形成されている。また、図３及び図４に示すように、ルーフパネルＲと基材３との上下幅は、車両前後両端部より中央部の方が幅広で、且つ、車両左右両端部より中央部の方が幅狭となっていて、発泡成形体９の厚さは、ルーフパネルＲ及び基材３の上下幅に対応するようになっている。そして、発泡成形体９は、基材３とルーフパネルＲとの間に配設した状態で、車室内側が基材３の車室外側に圧接するとともに、車室外側がルーフパネルＲの車室内側に圧接するようになっている。
【００３０】
上記低反発弾性材は、一般的に弾性と粘性とを兼ね備えた性質を有していて、起伏の大きな箇所にあてがったときに、当該箇所に隙間無く沿わせることができるとともに接触部分の圧力を分散させることができるので、基材３とルーフパネルＲとの間に発泡成形体９を取り付けたときに、起伏の大きなルーフレインフォースメントＲ３の部位に発泡成形体９を沿わせることができ、しかも、接触部分の圧力を分散させて基材３を局部的に変形させないようになっている。
【００３１】
上記発泡成形体９は、その内部の気泡同士が壁で仕切られていて繋がっていない、いわゆる独立気泡構造であって断熱性が高く、その密度は０．０７ｇ／ｃｍ３となっている。尚、上記発泡成形体９の密度は、車両Ｖの重量を増加させないように０．０２〜０．０７ｇ／ｃｍ３が好ましい。
【００３２】
また、上記発泡成形体９の車両前方に位置する端部は、図５に示すように、ルーフパネルＲに連なるフロントピラーＦｐの上部に位置するようになっていて、この発泡成形体９により、フロントピラーＦｐに対応する位置の基材３がフロントピラーＦｐ側に撓まないようになっている。したがって、フロントピラーＦｐと基材３との間にチップウレタン等の部材を追加で配設しなくても基材３はフロントピラーＦｐ側に撓まなくなり、フロントピラーＦｐの内方に位置するピラートリムＰｔと基材３との間に隙間が形成されず、コストを抑えて車室内の意匠性を高めることができる。尚、フロントピラーＦｐだけでなく、図示しないがセンターピラーやリアピラー部分においても上記と同様に発泡成形体９によってトリムと基材３との間に隙間が形成されないようになっており、このことで車室内の意匠性を高めることができる。
【００３３】
上記配索部材２０は、配線５及び配管７からなっている。配線５は、図２に示すように、ハーネス線５ａ及びアンテナ線５ｂを備えている。ハーネス線５ａは、車幅方向右側の前方から発泡成形体９の外周縁に沿って後方に延び、発泡成形体９の車両前後方向中央部分及び後方部分から車幅方向左側に向かってそれぞれ延びていて、車両前後方向中央部の車幅方向両側及び車両後方の車幅方向左側にそれぞれ位置するルーフランプ５ｃに繋がっている。また、アンテナ線５ｂは、車幅方向左側の前方から発泡成形体９の外周縁に沿って後方に延びている。
【００３４】
上記配管７は、図示しないがウォッシャー液を車両前方のエンジンルーム内からリアウインドガラスまで届けるウォッシャーパイプであり、図２に示すように、車幅方向左側の前方からアンテナ線５ｂに沿って後方に延びている。
【００３５】
そして、上記配線５及び配管７は、図２に示すように、発泡成形体９の車室外側面に形成された収容溝３０に収容されている。具体的には、図１０に示すように、収容溝３０は、発泡成形体９の車室外側面において配索部材２０を配索する状態に一致して形成されており、配索部材２０が設置されて収容される設置部３１と、発泡成形体９の表面と設置部とを連通する挿入路３２とを備える。設置部３１は、配索部材２０の形状・大きさにほぼ一致しており、挿入路３２は配索部材２０の形状・大きさよりも僅かに小さく形成されている。この挿入路３２の幅が配索部材２０の幅よりも僅かに小さいことによって、配索部材２０を収容溝３０に向けて強く奥に押し込むことで、設置部３１に配索部材２０を位置させることができ、且つ、設置部３１に位置させた配索部材２０が収容溝３０から簡単に抜脱しないようになっている。
【００３６】
次に、車両用天井成形材１の製造方法について説明する。製造に際し、図６乃至図９に示すような、上下に対向配置された固定型（第１型）１１及び可動型（第２型）１３を備えた成形型１０を用意する。固定型１１の上面には、基材３の車室外側の形状面３ａの形状に対応した下側成形面１１ａが形成されている。また、可動型１３の下面には、ルーフパネルＲの車室内側の形状面Ｒａに沿うような形状の上側成形面１３ａが形成されている。また、図６に示すように可動型１３の上側成形面１３ａには、配線５及び配管７を収容する収容溝３０を形成するための溝形成部１３ｂ、１３ｃが備えられている。溝形成部１３ｃは配線５及び配管７の幅と略同幅で形成され、溝形成部１３ｂは、配線５と略同幅で形成されている。
【００３７】
まず初めに、図示しない成形型を用いて従来周知の方法にて成形した基材３を用意する。また、図６に示すように、上記成形型１０を型開きした状態から、図７に示すように型閉じする。
【００３８】
図７に示すように、成形型１０を型閉じした後、固定型１１の下側成形面１１ａと可動型１３の上側成形面１３ａとの間に形成されたキャビティ１０ａ内に発泡成形体９の発泡樹脂原料９０を射出機（図示せず）で射出注入した後、加熱装置（図示せず）にて発泡樹脂原料９０を加熱して発泡させる。そして、図８に示すように、発泡した発泡成形体９がキャビティ１０ａ内を埋めると同時に、配線５及び配管７を収容する収容溝３０が形成される。
【００３９】
この成形後、図９に示すように、可動型１３を固定型１１から後退させて成形型１０を型開きする。この時に、発泡成形体９の収容溝３０から溝形成部１３ｂ、１３ｃも同時に外される。収容溝３０の挿入路３２の幅は設置部３１の幅より狭いが、発泡成形体９が弾力性を有するので、溝形成部１３ｂ、１３ｃは収容溝３０から容易に引き抜かれる。その後、発泡成形体９を成形型１０から脱型する。
【００４０】
その後、発泡成形体９の収容溝３０内に、配索部材２０を挿入して組付ける。この発泡成形体９と基材３とを重ねて、車両用天井成形材１を製造する。
【００４１】
次に、本発明の実施形態に係る車両用天井成形材１の遮音性能についての評価結果について説明する。
【００４２】
図１１は、横軸を周波数、縦軸を音響透過損失としたグラフであり、各周波数において
音響透過損失が高いほど遮音性能が高いことを示している。Ｄ１は、ルーフパネルＲと基材３との間に発泡成形体９が無い状態で取得したデータを示し、Ｄ２は、発泡成形体９に発泡ウレタンＵ１を用いて取得したデータを示し、Ｄ３は、発泡成形体９に発泡ウレタンＵ２（例えば、ＢＳ社製スラブウレタン：密度０．０２ｇ／ｃｍ３）を用いて取得したデータを示す。
【００４３】
近年では、周波数の中でも可聴範囲とされる１．０ｋＨｚ〜２．５ｋＨｚにおいて遮音性能を高めることは勿論のこと、自動車の高性能化に伴って３．０ｋＨｚ〜５．０ｋＨｚの高周波領域においても遮音性能を高めたいという要求がある。このことに対し、図１１に示すように、発泡ウレタンＵ１及びＵ２をルーフパネルＲと基材３との間に配設した車両用天井成形材１（Ｄ２，Ｄ３）は、ルーフパネルＲと基材３との間に発泡成形体９が無い車両用天井成形材１（Ｄ１）に比べて高い遮音性能を有している。特に、発泡ウレタンＵ１（Ｄ２）は、３．０ｋＨｚ〜５．０ｋＨｚの高周波領域において発泡ウレタンＵ２（Ｄ３）より高い遮音性能を有している。したがって、発泡成形体９に発泡ウレタンＵ１及びＵ２を用いることによって高い遮音性能を有する車両用天井成形材１とすることができ、さらに、発泡成形体９に発泡ウレタンＵ１を用いることによって、高周波領域において高い遮音性能を有する車両用天井成形材１とすることができることが判る。
【００４４】
以上より、本発明の実施形態によれば、基材３の車室外側に沿うとともにルーフパネルＲの車室内側に沿う発泡成形体９を成形型１０で成形でき、発泡成形体９と基材３との間、及び発泡成形体９とルーフパネルＲとの間に非接触箇所が形成され難くなるので、断熱性が高まるとともに、車両Ｖの走行中に基材３とルーフパネルＲとの間に空気が流れなくなり、風切音の発生を防止できる。また、基材３とルーフパネルＲとの間に設けられた発泡成形体９が車室内側へ進む雨音を遮るようになるので、車室内で聞こえる雨音を小さくすることができる。さらには、発泡成形体９がルーフパネルＲに圧接するので、発泡成形体９が車両Ｖの走行中のルーフパネルＲの振動を抑えるようになり、ルーフパネルＲの振動から発生する騒音を低減できる。
【００４５】
それに加え、成形型１０内で発泡成形体９を成形すると同時に、配線５や配管７を収容する収容溝３０を形成するので、従来のように配線５や配管７の多くの箇所を粘着テープ等で貼り付ける必要が無くなりコストを低減できるとともに、これら配線５や配管７を基材３に貼り付ける作業を簡略化して組付工数を低減できる。
【００４６】
また、収容溝３０の挿入路３２の幅を設置部３１の幅より狭くすることにより、配線５及び配管７を簡単に、且つ、しっかりと固定することができ、抜脱を防止することができる。これらにより、車室内の騒音を効果的に低減して、乗員の乗り心地感を向上させるとともに断熱性を高めて無駄な電力の消費を無くすことができ、さらには、低コストで組付工数を低減することができる。
【００４７】
また、天井成形材１をルーフパネルＲに取り付けたときに、発泡成形体９が起伏の大きな箇所にうまく馴染むようになって、発泡成形体９と基材３との間、及び発泡成形体９とルーフパネルＲとの間に非接触箇所がさらに形成され難くなる。また、発泡成形体９と、基材３やルーフパネルＲとの接触部分の圧力が分散するようになるので、基材３に局所的な力が加わって変形してしまうのを防ぐことができる。さらに、基材３やルーフパネルＲが複数のバリエーションを有していて、基材３やルーフパネルＲの形状が部分的に異なるような場合であっても、発泡成形体９がそれぞれの形状に合わせてうまく馴染むようになるので、共通の天井成形材１を異なる基材３やルーフパネルＲに適用することができ、汎用性のある天井成形材１とすることができる。それに加え、高い制振性を保有する低反発弾性材を発泡成形体９に用いているので、さらに車両Ｖの走行中のルーフパネルＲの振動を抑えることができ、ルーフパネルＲの振動により発生する騒音を防ぐことができる。
【００４８】
さらに、基材３、発泡成形体９及び配索部材２０を別々に製造して自動車の組立ラインに搬入し、組立ラインの近くで基材３、発泡成形体９及び配索部材２０を組み立てることができるので、既存の自動車の組立ラインに適用しやすい。
【００４９】
さらに、ルーフパネルＲと基材３との間の上下幅に発泡成形体９の厚さが対応するようになり、天井成形材１をルーフパネルＲに取り付けたときに、発泡成形体９の車室外側がルーフパネルＲの車室内側に略均一に接触するようになる。したがって、発泡成形体９の車室外側が略均一に圧縮変形するようになり、基材３に局所的な大きな力が掛かって変形してしまうのを防ぐことができる。
【００５０】
尚、本発明の実施形態では、発泡成形体９の収容溝３０に配索部材２０を組付けた後、基材３と重ねるようにしたが、これに限らず、基材３と発泡成形体９を重ねた後、配索部材２０を収容溝３０に組付けるようにしても良い。
【００５１】
また、本発明の実施形態では、発泡成形体９の車室外側に配線５と配管７とを配索する収容溝３０を形成しているが、発泡成形体９の車室内側に収容溝３０を形成しても良い。なお、実施形態のように発泡成形体９の車室外側に収容溝３０を形成した方が、作業性及びメンテナンス作業等においては有用である。
【００５２】
また、配線５はハーネス線５ａやアンテナ線５ｂに限らず、他の配線であってもよく、配管７においてもウォータパイプに限らず、他の配管であってもよい。発泡成形体９の収容溝３０は、全ての配索部材２０が組付けられるように設けることが好ましいが、一部は収容溝３０を省略して簡略化するようにしても良い。
【００５３】
また、本発明の実施形態では、発泡成形体９に形成する収容溝３０として、設置部３１及び設置部３１より幅の狭い挿入路３２を設けたが、必ずしもこの構成に限られるものではなく、設置部３１と同幅の挿入路３２を設けても良い。また、設置部３１と挿入路３２とを同幅として、配索部材２０の幅より僅かに狭い幅に形成して、強引に配索部材２０を収容溝３０に押し込むようにしても良い。
【００５４】
また、本発明の実施形態では、発泡成形体９は、ルーフパネルＲと基材３との上下幅に対応するように、車両前後両端部より中央部の方が厚みが大きく、且つ、車両左右両端部より中央部の方が厚みが小さくなっているが、ルーフパネルＲと基材３との上下幅に対応する形状であればよく、例えば、車両前後両端部より中央部の方が厚みが小さく、車両左右両端部より中央部の方が厚みが大きくなっていてもよい。すなわち、ルーフパネルＲと基材３との上下幅が、車両前後両端部及び車両左右両端部の少なくとも一箇所と中央部とで異なっている場合に、上記ルーフパネルＲと基材３との上下幅に対応するように、発泡成形体９の前後両端部及び左右両端部の少なくとも一箇所の幅が中央部の幅と異なっていればよい。
【００５５】
また、本発明の発泡成形体９は、ルーフパネルＲの車室内側と基材３の車室外側とに完全に隙間無く接触するのが好ましいが、仮に一部に非接触部が発生しても特に問題とならない。
【産業上の利用可能性】
【００５６】
本発明は、例えば、車両の車室内に設けられる車両用天井成形材及びその製造方法に適している。
【符号の説明】
【００５７】
１        車両用天井成形材
３        基材
５        配線
７        配管
９        発泡成形体
１０      成形型
１０ａ    キャビティ
１１      固定型（第１型）
１１ａ    成形面
１３      可動型（第２型）
１３ａ    成形面
１３ｂ    溝形成部
１３ｃ    溝形成部
２０      配索部材
３０      収容溝
３１      設置部
３２      挿入路
９０      発泡樹脂原料
Ｃ        車両
Ｕ１      発泡ウレタン
Ｕ２      発泡ウレタン
Ｒ        ルーフパネル
Ｒ１      ルーフパネルアウター
【図１】
0005819699.tif 000002
【図２】
0005819699.tif 000003
【図３】
0005819699.tif 000004
【図４】
0005819699.tif 000005
【図５】
0005819699.tif 000006
【図６】
0005819699.tif 000007
【図７】
0005819699.tif 000008
【図８】
0005819699.tif 000009
【図９】
0005819699.tif 000010
【図１０】
0005819699.tif 000011
【図１１】
0005819699.tif 000012